【手続補正書】
【提出日】平成17年11月1日(2005.11.1)
【手続補正１】
【補正対象書類名】明細書
【補正対象項目名】発明の名称
【補正方法】変更
【補正の内容】
【発明の名称】記録装置および方法、再生装置および方法、信号処理装置および方法、ならびに、記録再生装置および方法
【手続補正２】
【補正対象書類名】明細書
【補正対象項目名】特許請求の範囲
【補正方法】変更
【補正の内容】
【特許請求の範囲】
【請求項１】  ヘッダ部が付加されたデータストリームを記録する記録装置において、
データストリームから抽出されたヘッダ部の情報に基づいて、上記データストリームが正しく符号化されたかどうかをチェックしてチェック結果を示すエラー情報を出力するチェック手段と、
上記エラー情報を上記データストリームと共に記録媒体に記録する記録手段と
を有することを特徴とする記録装置。
【請求項２】  請求項１に記載の記録装置において、
上記チェック手段は、上記符号化がシンタクスに合致してなされているかどうかチェックすることを特徴とする記録装置。
【請求項３】  請求項１に記載の記録装置において、
上記チェック手段は、上記符号化が復号条件に合致してなされているかどうかチェックすることを特徴とする記録装置。
【請求項４】  請求項１に記載の記録装置において、
可変長符号を復号化する復号手段をさらに有し、
上記チェック手段は、上記可変長符号化されたデータストリームが上記復号手段で可変長符号を復号されたデータから上記ヘッダ部の情報を抽出することを特徴とする記録装置。
【請求項５】  請求項１に記載の記録装置において、
上記エラー情報を、上記記録媒体上の、上記データストリームの記録領域と分離されたシステム領域に記録することを特徴とする記録装置。
【請求項６】  請求項１に記載の記録装置において、
上記チェック手段は、上記チェック結果に応じて段階的にレベルが表されるエラーレベルを上記エラー情報として出力することを特徴とする記録装置。
【請求項７】  ヘッダ部が付加されたデータストリームを記録する記録方法において、
データストリームから抽出されたヘッダ部の情報に基づいて、上記データストリームが正しく符号化されたかどうかをチェックしてチェック結果を示すエラー情報を出力するチェックのステップと、
上記エラー情報を上記データストリームと共に記録媒体に記録する記録のステップと
を有することを特徴とする記録方法。
【請求項８】  記録媒体に記録された、ヘッダ部が付加されたデータストリームを再生する再生装置において、
データストリームから抽出ヘッダ部の情報に基づいて、上記データストリームが正しく符号化されたかどうかをチェックされ、上記チェック結果を示すエラー情報と、上記データストリームとが共に記録媒体に記録されており、
再生された上記エラー情報が再生されたデータストリームにエラーがあることを示している場合には、当該データストリームを出力しないようにする出力制御手段を有することを特徴とする再生装置。
【請求項９】  請求項８に記載の再生装置において、
上記エラー情報は、上記ヘッダ部の情報が符号化がシンタクスに合致してなされているかどうかチェックされた上記チェック結果に基づくことを特徴とする再生装置。
【請求項１０】  請求項８に記載の再生装置において、
上記エラー情報は、上記ヘッダ部の情報が符号化が復号条件に合致してなされているかどうかチェックされた上記チェック結果に基づくことを特徴とする再生装置。
【請求項１１】  請求項８に記載の再生装置において、
上記エラー情報は、上記チェック結果に応じて段階的にレベルが表されるエラーレベルからなることを特徴とする再生装置。
【請求項１２】  請求項８に記載の再生装置において、
上記出力制御手段は、上記エラー情報によりエラーがあると示された上記データストリームの出力を遮断することを特徴とする再生装置。
【請求項１３】  請求項１２記載の再生装置において、
上記遮断された時点で出力される上記データストリームに終端を示す識別子を付加することを特徴とする再生装置。
【請求項１４】  請求項８に記載の再生装置において、
上記出力制御手段は、上記エラー情報によりエラーがあると示された上記データストリームを修正して出力することを特徴とする再生装置。
【請求項１５】  請求項１４記載の再生装置において、
上記データストリームのヘッダ部を交換することで上記データストリームの上記修正を行うことを特徴とする再生装置。
【請求項１６】  請求項１４記載の再生装置において、
上記データストリームのヘッダ部に格納されるヘッダ部の情報を交換することで上記データストリームの上記修正を行うことを特徴とする再生装置。
【請求項１７】  請求項８に記載の再生装置において、
上記出力制御手段は、上記エラー情報によりエラーがあると示された上記データストリームを固定的な値からなるデータストリームにすげ替えて出力することを特徴とする再生装置。
【請求項１８】  請求項８に記載の再生装置において、
上記出力制御手段は、上記エラー情報によりエラーがあると示された上記データストリームを、編集単位で予め記憶されている、上記エラーがあるとされた直前のデータストリームとすげ替えて出力することを特徴とする再生装置。
【請求項１９】  記録媒体に記録された、ヘッダ部が付加されたデータストリームを再生する再生方法において、
データストリームから抽出ヘッダ部の情報に基づいて、上記データストリームが正しく符号化されたかどうかをチェックされ、上記チェック結果を示すエラー情報と、上記データストリームとが共に記録媒体に記録されており、
再生された上記エラー情報が再生されたデータストリームにエラーがあることを示している場合には、当該データストリームを出力しないようにする出力制御のステップを有することを特徴とする再生方法。
【請求項２０】  ヘッダ部が付加されたデータストリームを記録する記録装置において、
データストリームから抽出された上記ヘッダ部の情報に基づいて、上記データストリームが正しく符号化されたかどうかをチェックするチェック手段と、
上記チェック手段によるチェック結果に基づき、上記エラーがあるとされた上記データストリームが記録されないか、または、再生系の出力から出力されないように制御する制御手段と、
上記制御手段から出力された上記データストリームを記録媒体に記録する記録手段と
を有することを特徴とする記録装置。
【請求項２１】  請求項２０に記載の記録装置において、
上記チェック手段は、上記ヘッダ部の情報が上記符号化がシンタクスに合致してなされているかどうかチェックすることを特徴とする記録装置。
【請求項２２】  請求項２０に記載の記録装置において、
上記チェック手段は、上記ヘッダ部の情報が符号化が復号条件に合致してなされているかどうかチェックすることを特徴とする記録装置。
【請求項２３】  請求項２０に記載の記録装置において、
可変長符号を復号化する復号手段をさらに有し、
上記チェック手段は、上記可変長符号化されたデータストリームが上記復号手段で可変長符号を復号されたデータから上記ヘッダ部の情報を抽出することを特徴とする記録装置。
【請求項２４】  請求項２０に記載の記録装置において、
上記制御手段は、上記エラー情報によりエラーがあると示された上記データストリームの入力を遮断することを特徴とする記録装置。
【請求項２５】  請求項２４記載の記録装置において、
上記遮断された時点で上記入力制御手段から出力される上記データストリームに終端を示す識別子を付加することを特徴とする記録装置。
【請求項２６】  請求項２０に記載の記録装置において、
上記制御手段は、上記チェック手段によりエラーがあると示された上記データストリームを修正して出力することを特徴とする記録装置。
【請求項２７】  請求項２６記載の記録装置において、
上記データストリームのヘッダ部を交換することで上記データストリームの上記修正を行うことを特徴とする記録装置。
【請求項２８】  請求項２６記載の記録装置において、
上記データストリームのヘッダ部に格納されるヘッダ部の情報を交換することで上記データストリームの上記修正を行うことを特徴とする記録装置。
【請求項２９】  請求項２０に記載の記録装置において、
上記制御手段は、上記チェック手段によりエラーがあると示された上記データストリームを固定的な値からなるデータストリームにすげ替えて出力することを特徴とする記録装置。
【請求項３０】  請求項２０に記載の記録装置において、
上記制御手段は、上記チェック手段によりエラーがあると示された上記データストリームを、編集単位で予め記憶されている、上記エラーがあるとされた直前のデータストリームとすげ替えて出力することを特徴とする記録装置。
【請求項３１】  ヘッダ部が付加されたデータストリームを記録する記録方法において、
データストリームから抽出された上記ヘッダ部の情報に基づいて、上記データストリームが正しく符号化されたかどうかをチェックするチェックのステップと、
上記チェックのステップによるチェック結果に基づき、上記エラーがあるとされた上記データストリームが記録されないか、または、再生系の出力から出力されないように制御する制御のステップと、
上記制御のステップから出力された上記データストリームを記録媒体に記録する記録のステップと
を有することを特徴とする記録方法。
【請求項３２】  記録媒体に記録された、ヘッダ部が付加されたデータストリームを再生する再生装置において、
記録媒体に記録された、ヘッダ部が付加されたデータストリームを再生する再生手段と、
上記再生手段によって再生されたデータストリームから抽出された上記ヘッダ部の情報に基づいて、上記データストリームが正しく符号化されたかどうかチェックするチェック手段と、
上記チェック手段によるチェック結果に基づき、上記データストリームにエラーがあるとされた場合には、当該データストリームを出力しないようにする出力制御手段と
を有することを特徴とする再生装置。
【請求項３３】  請求項３２に記載の再生装置において、
上記チェック手段は、上記ヘッダ部の情報が符号化がシンタクスに合致してなされているかどうかチェックすることを特徴とする再生装置。
【請求項３４】  請求項３２に記載の再生装置において、
上記チェック手段は、上記ヘッダ部の情報が符号化が復号条件に合致してなされているかどうかチェックすることを特徴とする再生装置。
【請求項３５】  請求項３２に記載の再生装置において、
上記出力制御手段は、上記チェック手段によりエラーがあると示された上記データストリームの出力を遮断することを特徴とする再生装置。
【請求項３６】  請求項３５記載の再生装置において、
上記遮断された時点で出力される上記データストリームに終端を示す識別子を付加することを特徴とする再生装置。
【請求項３７】  請求項３２に記載の再生装置において、
上記出力制御手段は、上記チェック手段によりエラーがあると示された上記データストリームを修正して出力することを特徴とする再生装置。
【請求項３８】  請求項３７記載の再生装置において、
上記データストリームのヘッダ部を交換することで上記データストリームの上記修正を行うことを特徴とする再生装置。
【請求項３９】  請求項３７記載の再生装置において、
上記データストリームのヘッダ部に格納されるヘッダ部の情報を交換することで上記データストリームの上記修正を行うことを特徴とする再生装置。
【請求項４０】  請求項３２に記載の再生装置において、
上記出力制御手段は、上記チェック手段によりエラーがあると示された上記データストリームを固定的な値からなるデータストリームにすげ替えて出力することを特徴とする再生装置。
【請求項４１】  請求項３２に記載の再生装置において、
上記出力制御手段は、上記チェック手段によりエラーがあると示された上記データストリームを、編集単位で予め記憶されている、上記エラーがあるとされた直前のデータストリームとすげ替えて出力することを特徴とする再生装置。
【請求項４２】  記録媒体に記録された、ヘッダ部が付加されたデータストリームを再生する再生方法において、
記録媒体に記録された、ヘッダ部が付加されたデータストリームを再生する再生のステップと、
上記再生のステップによって再生されたデータストリームから抽出された上記ヘッダ部の情報に基づいて、上記データストリームが正しく符号化されたかどうかチェックするチェックのステップと、
上記チェックのステップによるチェック結果に基づき、上記データストリームにエラーがあるとされた場合には、当該データストリームを出力しないようにする出力制御のステップと
を有することを特徴とする再生方法。
【請求項４３】 エンコードされたストリームを外部に出力するようにされた信号処理装置において、
エンコードされたストリームを外部に出力する出力手段と、
上記出力手段に供給される上記エンコードされたストリームから上記エンコードのパラメータを抽出する抽出手段と、
上記抽出手段で抽出された上記パラメータが不正なパラメータでないかどうかを判断する判断手段と、
上記判断手段により上記パラメータが不正なパラメータであると判断されたら、上記エンコードされたストリームの上記出力手段からの出力を停止する出力停止手段と
を有することを特徴とする信号処理装置。
【請求項４４】 請求項４３に記載の信号処理装置において、
上記抽出手段は、上記エンコードされたストリームを簡易的に復号する復号手段を備え、上記外部でエンコードされたストリームを該復号手段で復号したストリームから上記パラメータを抽出するようにしたことを特徴とする信号処理装置。
【請求項４５】 請求項４３に記載の信号処理装置において、
上記判断手段は、上記パラメータにシンタクスエラーとなるパラメータが含まれているときに上記不正なパラメータであると判断することを特徴とする信号処理装置。
【請求項４６】 請求項４３に記載の信号処理装置において、
上記判断手段は、上記パラメータにフォーマット違反となるパラメータが含まれているときに上記不正なパラメータであると判断することを特徴とする信号処理装置。
【請求項４７】 請求項４３に記載の信号処理装置において、
上記出力停止手段により上記エンコードされたストリームの出力が停止されたときに、上記出力が停止される直前のストリームの後端にストリームの終了を示すコードを付加するようにしたことを特徴とする信号処理装置。
【請求項４８】 請求項４３に記載の信号処理装置において、
上記出力停止手段により停止された上記ストリームの出力が再開されたときに、出力が停止されたことで使用しなくなったデータが存在することを示すコードを、出力が再開された上記ストリームに付加するようにしたことを特徴とする信号処理装置。
【請求項４９】 エンコードされたストリームを外部に出力するようにされた信号処理方法において、
エンコードされたストリームを外部に出力する出力のステップと、
上記出力のステップに供給される上記エンコードされたストリームから上記エンコードのパラメータを抽出する抽出のステップと、
上記抽出のステップで抽出された上記パラメータが不正なパラメータでないかどうかを判断する判断のステップと、
上記判断のステップにより上記パラメータが不正なパラメータであると判断されたら、上記エンコードされたストリームの上記出力のステップによる出力を停止する出力停止のステップと
を有することを特徴とする信号処理方法。
【請求項５０】 入力された、外部でエンコードされたストリームを記録媒体に記録し、記録媒体から再生されたエンコードされたストリームを外部に出力するようにされた記録再生装置において、
外部でエンコードされたストリームが入力される入力手段と、
上記入力手段に入力される上記エンコードされたストリームを記録媒体に記録する記録手段と、
上記記録媒体に記録された上記エンコードされたストリームを再生する再生手段と、
上記再生手段によって再生された上記エンコードされたストリームを外部に出力する出力手段と、
上記出力手段に供給される上記エンコードされたストリームから上記エンコードのパラメータを抽出する抽出手段と、
上記抽出手段で抽出された上記パラメータが不正なパラメータでないかどうかを判断する判断手段と、
上記判断手段により上記パラメータが不正なパラメータであると判断されたら、上記エンコードされたストリームの上記出力手段からの出力を停止する出力停止手段と
を有することを特徴とする記録再生装置。
【請求項５１】 請求項５０に記載の記録再生装置において、
上記抽出手段は、上記外部でエンコードされたストリームを簡易的に復号する復号手段を備え、上記外部でエンコードされたストリームを該復号手段で復号したストリームから上記パラメータを抽出するようにしたことを特徴とする記録再生装置。
【請求項５２】 請求項５０に記載の記録再生装置において、
上記判断手段は、上記パラメータにシンタクスエラーとなるパラメータが含まれているときに上記不正なパラメータであると判断することを特徴とする記録再生装置。
【請求項５３】 請求項５０に記載の記録再生装置において、
上記判断手段は、上記パラメータにフォーマット違反となるパラメータが含まれているときに上記不正なパラメータであると判断することを特徴とする記録再生装置。
【請求項５４】 請求項５０に記載の記録再生装置において、
上記出力停止手段により上記エンコードされたストリームの出力が停止されたときに、上記出力が停止される直前のストリームの後端にストリームの終了を示すコードを付加するようにしたことを特徴とする記録再生装置。
【請求項５５】 請求項５０に記載の記録再生装置において、
上記出力停止手段により停止された上記ストリームの出力が再開されたときに、出力が停止されたことで使用しなくなったデータが存在することを示すコードを、出力が再開された上記ストリームに付加するようにしたことを特徴とする記録再生装置。
【請求項５６】 請求項５０に記載の記録再生装置において、
上記入力手段から入力された上記エンコードされたストリームを上記出力手段に直接的に供給する入力モニタ手段をさらに有し、
上記抽出手段は、上記入力モニタ手段を介して上記出力手段に供給される上記エンコードされたストリームから上記エンコードのパラメータを抽出し、上記抽出手段で抽出された上記パラメータが不正なパラメータでないかどうかが上記判断手段で判断され、上記判断手段により上記パラメータが不正なパラメータであると判断されたら、上記出力停止手段により、上記エンコードされたストリームの上記出力手段からの出力が停止されるようにしたことを特徴とする記録再生装置。
【請求項５７】 入力された、外部でエンコードされたストリームを記録媒体に記録し、記録媒体から再生されたエンコードされたストリームを外部に出力するようにされた記録再生方法において、
外部でエンコードされたストリームが入力される入力のステップと、
上記入力のステップに入力される上記エンコードされたストリームを記録媒体に記録する記録のステップと、
上記記録媒体に記録された上記エンコードされたストリームを再生する再生のステップと、
上記再生のステップによって再生された上記エンコードされたストリームを外部に出力する出力のステップと、
上記出力のステップに供給される上記エンコードされたストリームから上記エンコードのパラメータを抽出する抽出のステップと、
上記抽出のステップで抽出された上記パラメータが不正なパラメータでないかどうかを判断する判断のステップと、
上記判断のステップにより上記パラメータが不正なパラメータであると判断されたら、上記エンコードされたストリームの上記出力のステップからの出力を停止する出力停止のステップと
を有することを特徴とする記録再生方法。
【請求項５８】 記録媒体に記録された、エンコードされたストリームを再生し、外部に出力するような再生装置において、
記録媒体に記録されたエンコードされたストリームを再生する再生手段と、
上記再生手段によって再生された上記エンコードされたストリームを外部に出力する出力手段と、
上記出力手段に供給される上記エンコードされたストリームから上記エンコードのパラメータを抽出する抽出手段と、
上記抽出手段で抽出された上記パラメータが不正なパラメータでないかどうかを判断する判断手段と、
上記判断手段により上記パラメータが不正なパラメータであると判断されたら、上記エンコードされたストリームの上記出力手段からの出力を停止する出力停止手段と
を有することを特徴とする再生装置。
【請求項５９】 請求項５８に記載の再生装置において、
上記抽出手段は、上記エンコードされたストリームを簡易的に復号する復号手段を備え、上記外部でエンコードされたストリームを該復号手段で復号したストリームから上記パラメータを抽出するようにしたことを特徴とする再生装置。
【請求項６０】 請求項５８に記載の再生装置において、
上記判断手段は、上記パラメータにシンタクスエラーとなるパラメータが含まれているときに上記不正なパラメータであると判断することを特徴とする再生装置。
【請求項６１】 請求項５８に記載の再生装置において、
上記判断手段は、上記パラメータにフォーマット違反となるパラメータが含まれているときに上記不正なパラメータであると判断することを特徴とする再生装置。
【請求項６２】 請求項５８に記載の再生装置において、
上記出力停止手段により上記エンコードされたストリームの出力が停止されたときに、上記出力が停止される直前のストリームの後端にストリームの終了を示すコードを付加するようにしたことを特徴とする再生装置。
【請求項６３】 請求項５８に記載の再生装置において、
上記出力停止手段により停止された上記ストリームの出力が再開されたときに、出力が停止されたことで使用しなくなったデータが存在することを示すコードを、出力が再開された上記ストリームに付加するようにしたことを特徴とする再生装置。
【請求項６４】 記録媒体に記録された、エンコードされたストリームを再生し、外部に出力するような再生方法において、
記録媒体に記録されたエンコードされたストリームを再生する再生のステップと、
上記再生のステップによって再生された上記エンコードされたストリームを外部に出力する出力のステップと、
上記出力のステップに供給される上記エンコードされたストリームから上記エンコードのパラメータを抽出する抽出のステップと、
上記抽出のステップで抽出された上記パラメータが不正なパラメータでないかどうかを判断する判断のステップと、
上記判断のステップにより上記パラメータが不正なパラメータであると判断されたら、上記エンコードされたストリームの上記出力のステップからの出力を停止する出力停止のステップと
を有することを特徴とする再生方法。
【手続補正３】
【補正対象書類名】明細書
【補正対象項目名】０００１
【補正方法】変更
【補正の内容】
【０００１】
【発明の属する技術分野】
この発明は、可変長符号を復号化するデコーダに不正なデータストリームが入力されないようにした記録装置および方法、再生装置および方法、信号処理装置および方法、ならびに、記録再生装置および方法に関する。
【手続補正４】
【補正対象書類名】明細書
【補正対象項目名】００１７
【補正方法】変更
【補正の内容】
【００１７】
したがって、この発明の目的は、機器に適合しない規格の画像データが入力された場合に、その旨を検知すると共に、その画像データがデコーダに入力されないようにした記録装置および方法、再生装置および方法、信号処理装置および方法、ならびに、記録再生装置および方法を提供することにある。
【手続補正５】
【補正対象書類名】明細書
【補正対象項目名】００２５
【補正方法】変更
【補正の内容】
【００２５】
また、この発明は、記録媒体に記録された、ヘッダ部が付加されたデータストリームを再生する再生方法において、記録媒体に記録された、ヘッダ部が付加されたデータストリームを再生する再生のステップと、再生のステップによって再生されたデータストリームから抽出されたヘッダ部の情報に基づいて、データストリームが正しく符号化されたかどうかチェックするチェックのステップと、チェックのステップによるチェック結果に基づき、データストリームにエラーがあるとされた場合には、当該データストリームを出力しないようにする出力制御のステップとを有することを特徴とする再生方法である。
また、この発明は、エンコードされたストリームを外部に出力するようにされた信号処理装置において、エンコードされたストリームを外部に出力する出力手段と、出力手段に供給されるエンコードされたストリームからエンコードのパラメータを抽出する抽出手段と、抽出手段で抽出されたパラメータが不正なパラメータでないかどうかを判断する判断手段と、判断手段によりパラメータが不正なパラメータであると判断されたら、エンコードされたストリームの出力手段からの出力を停止する出力停止手段とを有することを特徴とする信号処理装置である。
また、この発明は、エンコードされたストリームを外部に出力するようにされた信号処理方法において、エンコードされたストリームを外部に出力する出力のステップと、出力のステップに供給されるエンコードされたストリームからエンコードのパラメータを抽出する抽出のステップと、抽出のステップで抽出されたパラメータが不正なパラメータでないかどうかを判断する判断のステップと、判断のステップによりパラメータが不正なパラメータであると判断されたら、エンコードされたストリームの出力のステップによる出力を停止する出力停止のステップとを有することを特徴とする信号処理方法である。
また、この発明は、入力された、外部でエンコードされたストリームを記録媒体に記録し、記録媒体から再生されたエンコードされたストリームを外部に出力するようにされた記録再生装置において、外部でエンコードされたストリームが入力される入力手段と、入力手段に入力されるエンコードされたストリームを記録媒体に記録する記録手段と、記録媒体に記録されたエンコードされたストリームを再生する再生手段と、再生手段によって再生されたエンコードされたストリームを外部に出力する出力手段と、出力手段に供給されるエンコードされたストリームからエンコードのパラメータを抽出する抽出手段と、抽出手段で抽出されたパラメータが不正なパラメータでないかどうかを判断する判断手段と、判断手段によりパラメータが不正なパラメータであると判断されたら、エンコードされたストリームの出力手段からの出力を停止する出力停止手段とを有することを特徴とする記録再生装置である。
また、この発明は、入力された、外部でエンコードされたストリームを記録媒体に記録し、記録媒体から再生されたエンコードされたストリームを外部に出力するようにされた記録再生方法において、外部でエンコードされたストリームが入力される入力のステップと、入力のステップに入力されるエンコードされたストリームを記録媒体に記録する記録のステップと、記録媒体に記録されたエンコードされたストリームを再生する再生のステップと、再生のステップによって再生されたエンコードされたストリームを外部に出力する出力のステップと、出力のステップに供給されるエンコードされたストリームからエンコードのパラメータを抽出する抽出のステップと、抽出のステップで抽出されたパラメータが不正なパラメータでないかどうかを判断する判断のステップと、判断のステップによりパラメータが不正なパラメータであると判断されたら、エンコードされたストリームの出力のステップからの出力を停止する出力停止のステップとを有することを特徴とする記録再生方法である。
また、この発明は、記録媒体に記録された、エンコードされたストリームを再生し、外部に出力するような再生装置において、記録媒体に記録されたエンコードされたストリームを再生する再生手段と、再生手段によって再生されたエンコードされたストリームを外部に出力する出力手段と、出力手段に供給されるエンコードされたストリームからエンコードのパラメータを抽出する抽出手段と、抽出手段で抽出されたパラメータが不正なパラメータでないかどうかを判断する判断手段と、判断手段によりパラメータが不正なパラメータであると判断されたら、エンコードされたストリームの出力手段からの出力を停止する出力停止手段とを有することを特徴とする再生装置である。
また、この発明は、記録媒体に記録された、エンコードされたストリームを再生し、外部に出力するような再生方法において、記録媒体に記録されたエンコードされたストリームを再生する再生のステップと、再生のステップによって再生されたエンコードされたストリームを外部に出力する出力のステップと、出力のステップに供給されるエンコードされたストリームからエンコードのパラメータを抽出する抽出のステップと、抽出のステップで抽出されたパラメータが不正なパラメータでないかどうかを判断する判断のステップと、判断のステップによりパラメータが不正なパラメータであると判断されたら、エンコードされたストリームの出力のステップからの出力を停止する出力停止のステップとを有することを特徴とする再生方法である。
【手続補正６】
【補正対象書類名】明細書
【補正対象項目名】００６２
【補正方法】変更
【補正の内容】
【００６２】
ＭＰＥＧでは、１スライスを１ストライプ（１６ライン）で構成することが多く、画面の左端から可変長符号化が始まり、右端で終わる。従って、ＶＴＲによってそのままＭＰＥＧエレメンタリストリームを記録した場合、高速再生時に、再生できる部分が画面の左端に集中し、均一に更新することができない。また、データのテープ上の配置を予測できないため、テープパターンを一定の間隔でトレースしたのでは、均一な画面更新ができなくなる。さらに、１箇所でもエラーが発生すると、画面右端まで影響し、次のスライスヘッダが検出されるまで復帰できない。このために、１スライスを１マクロブロックで構成するようにしている。
【手続補正７】
【補正対象書類名】明細書
【補正対象項目名】００９５
【補正方法】変更
【補正の内容】
【００９５】
ＥＣＣデコーダ１１３における処理について説明する。ＥＣＣデコーダ１１３では、先ず、同期検出を行いシンクブロックの先頭に付加されている同期信号を検出し、シンクブロックを切り出す。データは、シンクブロック毎に内符号エンコーダに供給され、内符号のエラー訂正がなされる。内符号エンコーダの出力に対してＩＤ補間処理がなされ、内符号によりエラーとされたシンクブロックのＩＤ例えばシンクブロック番号が補間される。ＩＤが補間された再生データは、ビデオデータとオーディオデータとに分離される。
【手続補正８】
【補正対象書類名】明細書
【補正対象項目名】０１０８
【補正方法】変更
【補正の内容】
【０１０８】
ＭＰＥＧデコーダ１１６は、エレメンタリストリームを復号し、ビデオデータを出力する。すなわち、ＭＰＥＧデコーダ１１６は、逆量子化処理と、逆ＤＣＴ処理とがなされる。復号ビデオデータは、ＳＤＩ出力部１１８に供給される。上述したように、ＳＤＩ出力部１１８には、ＥＣＣデコーダ１１３でビデオデータと分離されたオーディオデータがディレイ１１７を介して供給されている。ＳＤＩ出力部１１８では、供給されたビデオデータとオーディオデータとを、ＳＤＩのフォーマットにマッピングし、ＳＤＩフォーマットのデータ構造を有するストリームへ変換される。ＳＤＩ出力部１１８からのストリームが出力端子１２０から外部へ出力される。
【手続補正９】
【補正対象書類名】明細書
【補正対象項目名】０１５４
【補正方法】変更
【補正の内容】
【０１５４】
一方、エラー情報により、再生データにフォーマット違反やシンタクス違反が存在することを示していれば、エラー処理回路３２３に供給されたＭＰＥＧ  ＥＳに対して、エラー情報が示すエラーレベルに応じたエラー処理を行う。エラー処理としては、例えば、出力の遮断、違反が生じたフレームの画像を例えば前フレームの画像データで置き替えるフリーズ、黒あるいは他の単色画像を違反が生じた画像にすげ替えて出力するブラックストリーム出力、ヘッダ部を正しいデータにすげ替えるヘッダ修正などが行われ、違反が存在するＭＰＥＧ  ＥＳを所定の条件を満たしたＭＰＥＧ  ＥＳとして出力する。また、エラー処理回路３２３では、違反が存在するＭＰＥＧ  ＥＳの出力を遮断するような処理も行われる。エラー処理回路３２３によるこれらの処理は、エラーレベルに応じて選択的に実行される。
【手続補正１０】
【補正対象書類名】明細書
【補正対象項目名】０１７４
【補正方法】変更
【補正の内容】
【０１７４】
手順４として、所定のパラメータ間の組み合わせがチェックされる。パラメータの中には、他のパラメータの値によって制限されるものが存在する。すなわち、
(1) ｐｉｃｔｕｒｅ＿ｃｏｄｉｎｇ＿ｔｙｐｅ＝１ならばｆ＿ｃｏｄｅ＝１５
(2) ｐｒｏｇｒｅｓｓｉｖｅ＿ｓｅｑｕｅｎｃｅ＝１ならばｐｒｏｇｒｅｓｓｅｉｖｅ＿ｆｒａｍｅ＝１
(3) ｐｒｏｇｒｅｓｓｉｖｅ＿ｆｒａｍｅ＝１ならばｐｉｃｔｕｒｅ＿ｓｔｒｕｃｔｕｒｅ＝Ｆｒａｍｅ
(4) ｐｒｏｇｒｅｓｓｉｖｅ＿ｆｒａｍｅ＝１ならばｆｒａｍｅ＿ｐｒｅｄ＿ｆｒａｍｅ＿ｄｃｔ＝１
(5) ｐｒｏｇｒｅｓｓｉｖｅ＿ｆｒａｍｅ＝０ならばｒｅｐｅａｔ＿ｆｉｒｓｔ＿ｆｉｅｌｄ＝０
(6) ｐｉｃｔｕｒｅ＿ｓｔｒｕｃｔｕｒｅ＝Ｆｉｅｌｄならばｔｏｐ＿ｆｉｅｌｄ＿ｆｉｒｓｔ＝０
(7) ｐｉｃｔｕｒｅ＿ｓｔｒｕｃｔｕｒｅ＝Ｆｉｅｌｄならばｆｒａｍｅ＿ｐｒｅｄ＿ｆｒａｍｅ＿ｄｃｔ＝０
(8) ｐｒｏｇｒｅｓｓｉｖｅ＿ｓｅｑｕｅｎｃｅ＝１ならばｔｏｐ＿ｆｉｅｌｄ＿ｆｉｒｓｔ＝０またはｒｅｐｅａｔ＿ｆｉｒｓｔ＿ｆｉｅｌｄ＝１
(9) ｃｈｒｏｍａ＿ｆｏｒｍａｔ＝４：２：０ならばｃｈｒｏｍａ＿４２０  ｔｙｐｅ＝ｐｒｏｇｒｅｓｓｉｖｅ＿ｆｒａｍｅ
(10)ｃｈｒｏｍａ＿ｆｏｒｍａｔ≠４：２：０ならばｃｈｒｏｍａ＿４２０  ｔｙｐｅ＝０
これらに違反すれば、シンタクスエラーとされる。
【手続補正１１】
【補正対象書類名】明細書
【補正対象項目名】０１７９
【補正方法】変更
【補正の内容】
【０１７９】
次に、フォーマット違反の検出について説明する。放送用や制作用の映像機器などでは、一般に、扱われる画像データのフォーマットに所定の制限を与える。例えば、画像サイズとフレーム周波数との組み合わせが「７２０サンプル×５１２あるいは４８０ライン、２９．９７Ｈｚ、インタレース」や、「７２０サンプル×６０８ライン、２５Ｈｚ、インタレース」に制限される。また例えば、この実施の第１の形態のように、フレーム単位の編集を行うために、フレームを１つのＩピクチャで構成するように制限される。この実施の第１の形態の例では、さらに、１スライス＝１マクロブロックとして制限し、ピクチャサーチを可能としている。
【手続補正１２】
【補正対象書類名】明細書
【補正対象項目名】０１８１
【補正方法】変更
【補正の内容】
【０１８１】
例えば、
有効画像サイズ：７２０サンプル×５１２ライン
フレーム周波数：２９．９７Ｈｚ
走査方式：インタレース
編集：フレーム編集およびピクチャサーチ可能
プロファイル：４：２：２Ｐ以下
ビットレート：５０Ｍｂｐｓ以下
このような４：２：２コンポーネントディジタルビデオ信号に対応可能なディジタルＶＴＲを考える。